(57)【要約】【課題】移動局ＵＥが認識するセルと無線基地局ｅＮＢが認識するセルとが異なってしまうという事態を回避する。【解決手段】本発明に係る移動通信方法は、セル＃Ａと通信中の移動局ＵＥが、セル＃Ａを管理する無線基地局ｅＮＢ＃Ａに対して、周辺セルである第２セルのＰＣＩを用いて、該第２セルにおける受信品質を含む測定報告を送信する工程と、  前記第１セルを管理する無線基地局が、受信した前記測定報告に係る前記ＰＣＩが複数の周辺セルにおいて使用されている可能性があると判断した場合、前記移動局に対して所定ギャップを通知し、前記第２セルのＣＧＩを通知するように指示する工程と、  前記移動局が、通知された前記所定ギャップで前記第２セルのＣＧＩを取得することができなかった場合には、その旨を通知する工程とを有する。【選択図】図４
2011010369.tif 000002
【特許請求の範囲】
【請求項１】
第１セルと通信中の移動局が、該第１セルを管理する無線基地局に対して、周辺セルである第２セルのＰＣＩを用いて、該第２セルにおける受信品質を含む測定報告を送信する工程と、
前記第１セルを管理する無線基地局が、受信した前記測定報告に係る前記ＰＣＩが複数の周辺セルにおいて使用されている可能性があると判断した場合、前記移動局に対して所定ギャップを通知し、前記第２セルのＣＧＩを通知するように指示する工程と、
前記移動局が、通知された前記所定ギャップで前記第２セルのＣＧＩを取得することができなかった場合には、その旨を前記無線基地局に対して通知する工程とを有することを特徴とする移動通信方法。
【請求項２】
第１セルと通信中の移動局が、該第１セルを管理する無線基地局に対して、周辺セルである第２セルのＰＣＩを用いて、該第２セルにおける受信品質を含む測定報告を送信する工程と、
前記第１セルを管理する無線基地局が、受信した前記測定報告に係る前記ＰＣＩが複数の周辺セルにおいて使用されている可能性があると判断した場合、前記移動局に対して所定ギャップ及び所定期間を通知し、前記第２セルのＣＧＩを通知するように指示する工程と、
前記移動局が、通知された前記所定期間内に前記第２セルのＣＧＩを取得することができなかった場合には、その旨を前記無線基地局に対して通知する工程とを有することを特徴とする移動通信方法。
【請求項３】
前記第１セルを管理する無線基地局が、前記移動局からの前記通知に応じて、前記第２セルに対する干渉の影響を低減するための所定処理を実施する工程を更に有することを特徴とする請求項１又は２に記載の移動通信方法。
【請求項４】
第１セルと通信中の移動局が、該第１セルを管理する無線基地局に対して、周辺セルである第２セルのＰＣＩを用いて、該第２セルにおける受信品質を含む測定報告を送信する工程と、
前記第１セルを管理する無線基地局が、受信した前記測定報告に係る前記ＰＣＩが複数の周辺セルにおいて使用されている可能性があると判断した場合、前記移動局に対して所定ギャップ及び所定期間を通知し、前記第２セルのＣＧＩを通知するように指示する工程と、
前記第１セルを管理する無線基地局が、前記指示の後、所定期間内に、前記移動局から、前記第２セルのＣＧＩを含む測定報告を受信しなかった場合には、該第２セルに対する干渉の影響を低減するための所定処理を実施する工程とを有することを特徴とする移動通信方法。
【請求項５】
第１セルと通信中の移動局が、該第１セルを管理する無線基地局に対して、周辺セルである第２セルのＰＣＩを用いて、周期的に、該第２セルにおける受信品質を含む測定報告を送信する工程と、
前記第１セルを管理する無線基地局が、受信した前記測定報告に係る前記ＰＣＩが複数の周辺セルにおいて使用されている可能性があると判断した場合、前記移動局に対して所定ギャップを通知し、前記第２セルのＣＧＩを通知するように指示する工程と、
前記第１セルを管理する無線基地局が、前記指示の後、前記移動局から、前記第２セルのＣＧＩを含む測定報告を受信する前に、該第２セルのＰＣＩを含む測定報告を受信した場合には、該第２セルに対する干渉の影響を低減するための所定処理を実施する工程とを有することを特徴とする移動通信方法。
【請求項６】
第１セルと通信中の移動局が、周辺セルである第２セルにおける受信品質が第１報告条件と満たす場合、該第１セルを管理する無線基地局に対して、該第２セルのＰＣＩを用いて、該第２セルにおける受信品質を含む第１測定報告を送信する工程と、
前記移動局が、前記第２セルにおける受信品質が第２報告条件と満たす場合、前記第１セルを管理する無線基地局に対して、該第２セルのＰＣＩを用いて、該第２セルにおける受信品質を含む第２測定報告を送信する工程と、
前記第１セルを管理する無線基地局が、前記第１測定報告を受信した場合、前記移動局に対して所定ギャップを通知し、前記第２セルのＣＧＩを通知するように指示する工程と、
前記第１セルを管理する無線基地局が、前記第２測定報告を受信した場合、前記第２セルに対する干渉の影響を低減するための所定処理を実施する工程とを有することを特徴とする移動通信方法。
【請求項７】
現在通信中の第１セルを管理する無線基地局に対して、周辺セルである第２セルのＰＣＩを用いて、該第２セルにおける受信品質を含む測定報告を送信するように構成されている測定報告送信部と、
前記第１セルを管理する無線基地局から所定ギャップが通知された場合で、かつ、該所定ギャップで前記第２セルのＣＧＩを取得することができなかった場合に、該第１セルを管理する無線基地局に対して、その旨を通知するように構成されている通知部とを具備することを特徴とする移動局。
【請求項８】
現在通信中の第１セルを管理する無線基地局に対して、周辺セルである第２セルのＰＣＩを用いて、該第２セルにおける受信品質を含む測定報告を送信するように構成されている測定報告送信部と、
前記第１セルを管理する無線基地局から所定ギャップ及び所定期間が通知された場合で、かつ、該所定期間内に前記第２セルのＣＧＩを取得することができなかった場合に、該第１セルを管理する無線基地局に対して、その旨を通知するように構成されている通知部とを具備することを特徴とする移動局。
【請求項９】
第１セルを管理する無線基地局であって、
前記第１セルと通信中の移動局によって、周辺セルである第２セルのＰＣＩを用いて該第２セルにおける受信品質を含む測定報告が送信されている場合で、かつ、該測定報告に係る該ＰＣＩが複数の周辺セルにおいて使用されている可能性があると判断された場合、該移動局に対して所定ギャップを通知し、該第２セルのＣＧＩを通知するように指示するように構成されている指示部と、
前記移動局から、前記所定ギャップで前記第２セルのＣＧＩの取得に失敗した旨の通知を受信した場合には、該第２セルに対する干渉の影響を低減するための所定処理を実施するように構成されている実施部とを具備することを特徴とする無線基地局。
【請求項１０】
第１セルを管理する無線基地局であって、
前記第１セルと通信中の移動局によって、周辺セルである第２セルのＰＣＩを用いて該第２セルにおける受信品質を含む測定報告が送信されている場合で、かつ、該測定報告に係る該ＰＣＩが複数の周辺セルにおいて使用されている可能性があると判断された場合、前記移動局に対して所定ギャップ及び所定期間を通知し、該第２セルのＣＧＩを通知するように指示するように構成されている指示部と、
前記移動局から、前記所定期間内に前記第２セルのＣＧＩの取得に失敗した旨の通知を受信した場合には、該第２セルに対する干渉の影響を低減するための所定処理を実施するように構成されている実施部とを具備することを特徴とする無線基地局。
【請求項１１】
第１セルを管理する無線基地局であって、
前記第１セルと通信中の移動局によって、周辺セルである第２セルのＰＣＩを用いて該第２セルにおける受信品質を含む測定報告が送信されている場合で、かつ、該測定報告に係る該ＰＣＩが複数の周辺セルにおいて使用されている可能性があると判断された場合、該移動局に対して所定ギャップ及び所定期間を通知し、該第２セルのＣＧＩを通知するように指示するように構成されている指示部と、
前記指示の後、所定期間内に、前記移動局から、前記第２セルのＣＧＩを含む測定報告を受信しなかった場合には、該第２セルに対する干渉の影響を低減するための所定処理を実施するように構成されている実施部とを具備することを特徴とする無線基地局。
【請求項１２】
第１セルを管理する無線基地局であって、
前記第１セルと通信中の移動局によって、周期的に、周辺セルである第２セルのＰＣＩを用いて該第２セルにおける受信品質を含む測定報告が送信されている場合で、かつ、該測定報告に係る該ＰＣＩが複数の周辺セルにおいて使用されている可能性があると判断された場合、該移動局に対して所定ギャップを通知し、該第２セルのＣＧＩを通知するように指示するように構成されている指示部と、
前記指示の後、前記移動局から、前記第２セルのＣＧＩを含む測定報告を受信する前に、該第２セルのＰＣＩを含む測定報告を受信した場合には、該第２セルに対する干渉の影響を低減するための所定処理を実施するように構成されている実施部とを具備することを特徴とする無線基地局。
【請求項１３】
第１セルを管理する無線基地局であって、
前記第１セルと通信中の移動局によって、周辺セルである第２セルにおける受信品質が第１報告条件と満たすと判断されて、該第２セルにおける受信品質を含む第１測定報告が送信された場合、該移動局に対して所定ギャップを通知し、該第２セルのＣＧＩを通知するように指示するように構成されている指示部と、
前記移動局によって、前記第２セルにおける受信品質が第２報告条件と満たすと判断されて、該第２セルにおける受信品質を含む第２測定報告が送信された場合、該第２セルに対する干渉の影響を低減するための所定処理を実施するように構成されている実施部とを具備することを特徴とする無線基地局。
【請求項１４】
前記干渉の影響を低減するための所定処理は、前記第２セルの周波数が前記第１セルの周波数と同じ場合は、他の周波数のセルに該移動局ＵＥをハンドオーバ或いはリダイレクションさせる処理であることを特徴とする請求項３乃至６のいずれか一項に記載の移動通信方法。
【請求項１５】
前記干渉の影響を低減するための所定処理は、前記第２セルの周波数が前記第１セルの周波数と異なる場合は、前記第１セルの周波数に該移動局ＵＥを留める処理であることを特徴とする請求項３乃至６のいずれか一項に記載の移動通信方法。
【請求項１６】
前記干渉の影響を低減するための所定処理は、前記第２セルの周波数が前記第１セルの周波数と同じ場合は、他の周波数のセルに該移動局ＵＥをハンドオーバ或いはリダイレクションさせる処理であることを特徴とする請求項９乃至１３のいずれか一項に記載の無線基地局。
【請求項１７】
前記干渉の影響を低減するための所定処理は、前記第２セルの周波数が前記第１セルの周波数と異なる場合は、前記第１セルの周波数に該移動局ＵＥを留める処理であることを特徴とする請求項９乃至１３のいずれか一項に記載の無線基地局。
【発明の詳細な説明】
【技術分野】
【０００１】
本発明は、移動通信方法、移動局及び無線基地局に関する。
【背景技術】
【０００２】
３ＧＰＰで規定されている移動通信システム、例えば、ＬＴＥ（Ｌｏｎｇ  Ｔｅｒｍ  Ｅｖｏｌｕｔｉｏｎ）方式の移動通信システムでは、各セルの識別情報として、「ＰＣＩ（Ｐｈｙｓｉｃａｌ  Ｃｅｌｌ  Ｉｄｅｎｔｉｔｙ）」及び「ＣＧＩ（Ｃｅｌｌ  Ｇｌｏｂａｌ  Ｉｄｅｎｔｉｔｙ）」が用いられている。
【０００３】
また、ＬＴＥ（Ｌｏｎｇ  Ｔｅｒｍ  Ｅｖｏｌｕｔｉｏｎ）方式の移動通信システムでは、「ＣＳＧ（Ｃｌｏｓｅｄ  Ｓｕｂｓｃｒｉｂｅｒ  Ｇｒｏｕｐ）」に属する特定の移動局ＵＥしか待ち受けやアクセスを行うことができない「ＣＳＧセル」が規定されている。
【０００４】
かかるＣＳＧセルでは、ＣＳＧの属する特定の移動局ＵＥに対して、料金やサービスやＱｏＳ（Ｑｕａｌｉｔｙ  ｏｆ  Ｓｅｒｖｉｃｅ）等の点で、付加価値が提供されることが想定されている。
【０００５】
ＣＳＧセルは、「ＣＳＧ-ＩＤ」を報知し、移動局ＵＥは、アクセス権のあるＣＳＧのリスト「Ａｌｌｏｗｅｄ  ＣＳＧ  Ｌｉｓｔ」を保持する。移動局ＵＥは、セルサーチを行って検知したセルについて、報知情報を受信し、報知情報に含まれる「ＣＳＧ-ＩＤ」が「Ａｌｌｏｗｅｄ  ＣＳＧ  Ｌｉｓｔ」に含まれるか否かによって、当該セルに待ち受け、アクセスできるかを判断することができる。
【０００６】
また、ＬＴＥ方式の移動通信システムでは、接続中の移動局ＵＥが周辺セルの測定を行い、周辺セルに関する測定報告「ｍｅａｓｕｒｅｍｅｎｔ  ｒｅｐｏｒｔ」を無線基地局に対して送信し、これに基づき移動局が接続する無線基地局ｅＮＢがハンドオーバの是非を判定して、ハンドオーバ制御することが想定されている。
【先行技術文献】
【非特許文献】
【０００７】
【非特許文献１】３ＧＰＰ  ＴＳ３６.３３１  ｖ８.６.０、２００９年６月１８日
【非特許文献２】３ＧＰＰ  ＴＳ３６.３０４  ｖ８.６.０、２００９年６月１８日
【発明の概要】
【発明が解決しようとする課題】
【０００８】
しかしながら、「ＣＧＩ」は、本実施形態に係る移動通システム内で、一意にセルを特定することができる識別情報であるのに対して、「ＰＣＩ」は、ＷＣＤＭＡ方式の移動通信システムにおけるスクランブルコードに相当するものであり、複数のセルで繰り返し使用されるものである。すなわち、本実施形態に係る移動通システム内では、「ＰＣＩ」のみによって、一意にセルを特定することができない。
【０００９】
したがって、「ＰＣＩ」のみによってセルを特定すると、ハンドオーバ処理時等に、移動局ＵＥが認識するセルと無線基地局ｅＮＢが認識するセルとが異なってしまう可能性があるという問題点があった。
【００１０】
そこで、本発明は、上述の課題に鑑みてなされたものであり、移動局ＵＥが認識するセルと無線基地局ｅＮＢが認識するセルとが異なってしまうという事態を回避することができる移動通信方法、移動局及び無線基地局を提供することを目的とする。
【課題を解決するための手段】
【００１１】
本発明の第１の特徴は、移動通信方法であって、第１セルと通信中の移動局が、該第１セルを管理する無線基地局に対して、周辺セルである第２セルのＰＣＩを用いて、該第２セルにおける受信品質を含む測定報告を送信する工程と、前記第１セルを管理する無線基地局が、受信した前記測定報告に係る前記ＰＣＩが複数の周辺セルにおいて使用されている可能性があると判断した場合、前記移動局に対して所定ギャップを通知し、前記第２セルのＣＧＩを通知するように指示する工程と、前記移動局が、通知された前記所定ギャップで前記第２セルのＣＧＩを取得することができなかった場合には、その旨を通知する工程とを有することを要旨とする。
【００１２】
本発明の第２の特徴は、移動通信方法であって、第１セルと通信中の移動局が、該第１セルを管理する無線基地局に対して、周辺セルである第２セルのＰＣＩを用いて、該第２セルにおける受信品質を含む測定報告を送信する工程と、前記第１セルを管理する無線基地局が、受信した前記測定報告に係る前記ＰＣＩが複数の周辺セルにおいて使用されている可能性があると判断した場合、前記移動局に対して所定ギャップ及び所定期間を通知し、前記第２セルのＣＧＩを通知するように指示する工程と、前記移動局が、通知された前記所定期間内に前記第２セルのＣＧＩを取得することができなかった場合には、その旨を通知する工程とを有することを要旨とする。
【００１３】
本発明の第３の特徴は、移動通信方法であって、第１セルと通信中の移動局が、該第１セルを管理する無線基地局に対して、周辺セルである第２セルのＰＣＩを用いて、該第２セルにおける受信品質を含む測定報告を送信する工程と、前記第１セルを管理する無線基地局が、受信した前記測定報告に係る前記ＰＣＩが複数の周辺セルにおいて使用されている可能性があると判断した場合、前記移動局に対して所定ギャップ及び所定期間を通知し、前記第２セルのＣＧＩを通知するように指示する工程と、前記第１セルを管理する無線基地局が、前記指示の後、所定期間内に、前記移動局から、前記第２セルのＣＧＩを含む測定報告を受信しなかった場合には、該第２セルに対する干渉の影響を低減するための所定処理を実施する工程とを有することを要旨とする。
【００１４】
本発明の第４の特徴は、移動通信方法であって、第１セルと通信中の移動局が、該第１セルを管理する無線基地局に対して、周辺セルである第２セルのＰＣＩを用いて、周期的に、該第２セルにおける受信品質を含む測定報告を送信する工程と、前記第１セルを管理する無線基地局が、受信した前記測定報告に係る前記ＰＣＩが複数の周辺セルにおいて使用されている可能性があると判断した場合、前記移動局に対して所定ギャップを通知し、前記第２セルのＣＧＩを通知するように指示する工程と、前記第１セルを管理する無線基地局が、前記指示の後、前記移動局から、前記第２セルのＣＧＩを含む測定報告を受信する前に、該第２セルのＰＣＩを含む測定報告を受信した場合には、該第２セルに対する干渉の影響を低減するための所定処理を実施する工程とを有することを要旨とする。
【００１５】
本発明の第５の特徴は、移動通信方法であって、第１セルと通信中の移動局が、周辺セルである第２セルにおける受信品質が第１報告条件と満たす場合、該第１セルを管理する無線基地局に対して、該第２セルのＰＣＩを用いて、該第２セルにおける受信品質を含む第１測定報告を送信する工程と、前記移動局が、前記第２セルにおける受信品質が第２報告条件と満たす場合、前記第１セルを管理する無線基地局に対して、該第２セルのＰＣＩを用いて、該第２セルにおける受信品質を含む第２測定報告を送信する工程と、前記第１セルを管理する無線基地局が、前記第１測定報告を受信した場合、前記移動局に対して所定ギャップを通知し、前記第２セルのＣＧＩを通知するように指示する工程と、前記第１セルを管理する無線基地局が、前記第２測定報告を受信した場合、前記第２セルに対する干渉の影響を低減するための所定処理を実施する工程とを有することを要旨とする。
【００１６】
本発明の第６の特徴は、移動局であって、現在通信中の第１セルを管理する無線基地局に対して、周辺セルである第２セルのＰＣＩを用いて、該第２セルにおける受信品質を含む測定報告を送信するように構成されている測定報告送信部と、前記第１セルを管理する無線基地局から所定ギャップが通知された場合で、かつ、該所定ギャップで前記第２セルのＣＧＩを取得することができなかった場合に、該第１セルを管理する無線基地局に対して、その旨を通知するように構成されている通知部とを具備することを要旨とする。
【００１７】
本発明の第７の特徴は、移動局であって、現在通信中の第１セルを管理する無線基地局に対して、周辺セルである第２セルのＰＣＩを用いて、該第２セルにおける受信品質を含む測定報告を送信するように構成されている測定報告送信部と、前記第１セルを管理する無線基地局から所定ギャップ及び所定期間が通知された場合で、かつ、該所定期間内に前記第２セルのＣＧＩを取得することができなかった場合に、該第１セルを管理する無線基地局に対して、その旨を通知するように構成されている通知部とを具備することを要旨とする。
【００１８】
本発明の第８の特徴は、第１セルを管理する無線基地局であって、前記第１セルと通信中の移動局によって、周辺セルである第２セルのＰＣＩを用いて該第２セルにおける受信品質を含む測定報告が送信されている場合で、かつ、該測定報告に係る該ＰＣＩが複数の周辺セルにおいて使用されている可能性があると判断された場合、該移動局に対して所定ギャップを通知し、該第２セルのＣＧＩを通知するように指示するように構成されている指示部と、前記移動局から、前記所定ギャップで前記第２セルのＣＧＩの取得に失敗した旨の通知を受信した場合には、該第２セルに対する干渉の影響を低減するための所定処理を実施するように構成されている実施部とを具備することを要旨とする。
【００１９】
本発明の第９の特徴は、第１セルを管理する無線基地局であって、前記第１セルと通信中の移動局によって、周辺セルである第２セルのＰＣＩを用いて該第２セルにおける受信品質を含む測定報告が送信されている場合で、かつ、該測定報告に係る該ＰＣＩが複数の周辺セルにおいて使用されている可能性があると判断された場合、前記移動局に対して所定ギャップ及び所定期間を通知し、該第２セルのＣＧＩを通知するように指示するように構成されている指示部と、前記移動局から、前記所定期間内に前記第２セルのＣＧＩの取得に失敗した旨の通知を受信した場合には、該第２セルに対する干渉の影響を低減するための所定処理を実施するように構成されている実施部とを具備することを要旨とする。
【００２０】
本発明の第１０の特徴は、第１セルを管理する無線基地局であって、前記第１セルと通信中の移動局によって、周辺セルである第２セルのＰＣＩを用いて該第２セルにおける受信品質を含む測定報告が送信されている場合で、かつ、該測定報告に係る該ＰＣＩが複数の周辺セルにおいて使用されている可能性があると判断された場合、該移動局に対して所定ギャップ及び所定期間を通知し、該第２セルのＣＧＩを通知するように指示するように構成されている指示部と、前記指示の後、所定期間内に、前記移動局から、前記第２セルのＣＧＩを含む測定報告を受信しなかった場合には、該第２セルに対する干渉の影響を低減するための所定処理を実施するように構成されている実施部とを具備することを要旨とする。
【００２１】
本発明の第１１の特徴は、第１セルを管理する無線基地局であって、前記第１セルと通信中の移動局によって、周期的に、周辺セルである第２セルのＰＣＩを用いて該第２セルにおける受信品質を含む測定報告が送信されている場合で、かつ、該測定報告に係る該ＰＣＩが複数の周辺セルにおいて使用されている可能性があると判断された場合、該移動局に対して所定ギャップを通知し、該第２セルのＣＧＩを通知するように指示するように構成されている指示部と、前記指示の後、前記移動局から、前記第２セルのＣＧＩを含む測定報告を受信する前に、該第２セルのＰＣＩを含む測定報告を受信した場合には、該第２セルに対する干渉の影響を低減するための所定処理を実施するように構成されている実施部とを具備することを要旨とする。
【００２２】
本発明の第１２の特徴は、第１セルを管理する無線基地局であって、前記第１セルと通信中の移動局によって、周辺セルである第２セルにおける受信品質が第１報告条件と満たすと判断されて、該第２セルにおける受信品質を含む第１測定報告が送信された場合、該移動局に対して所定ギャップを通知し、該第２セルのＣＧＩを通知するように指示するように構成されている指示部と、前記移動局によって、前記第２セルにおける受信品質が第２報告条件と満たすと判断されて、該第２セルにおける受信品質を含む第２測定報告が送信された場合、該第２セルに対する干渉の影響を低減するための所定処理を実施するように構成されている実施部とを具備することを要旨とする。
【発明の効果】
【００２３】
以上説明したように、本発明によれば、移動局ＵＥが認識するセルと無線基地局ｅＮＢが認識するセルとが異なってしまうという事態を回避することができる移動通信方法、移動局及び無線基地局を提供することができる。
【図面の簡単な説明】
【００２４】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムの動作を示すフローチャートである。
【図５】本発明の第１の実施形態に係る移動通信システムの動作を示すフローチャートである。
【発明を実施するための形態】
【００２５】
（本発明の第１の実施形態に係る移動通信システムの構成）
図１乃至図３を参照して、本発明の第１の実施形態に係る移動通信システムの構成について説明する。
【００２６】
図１に示すように、本実施形態に係る移動通信システムは、ＬＴＥ方式の移動通信システムであって、セル＃Ａを管理する無線基地局ｅＮＢ＃Ａや、ＣＳＧセル＃１を管理する無線基地局ＨｅＮＢ＃１や、ＣＳＧセル＃２を管理する無線基地局ＨｅＮＢ＃２等を具備している。
【００２７】
ＣＳＧセル＃１のカバーエリアは、セル＃Ａのカバーエリアと少なくとも一部で重なっており、ＣＳＧセル＃１で用いられる周波数ｆ１は、セル＃Ａで用いられる周波数ｆ１と同一である。
【００２８】
また、ＣＳＧセル＃２のカバーエリアは、セル＃Ａのカバーエリアと少なくとも一部で重なっており、ＣＳＧセル＃２で用いられる周波数ｆ２は、セル＃Ａで用いられる周波数ｆ１と異なる。
【００２９】
ここで、セル＃Ａは、「ＣＳＧセル」であってもよいし、「Ｏｐｅｎセル」であってもよいし、「Ｈｙｂｒｉｄセル」であってもよい。
【００３０】
「Ｏｐｅｎセル」は、本実施形態に係る移動通信システム内の全ての移動局ＵＥが待ち受けやアクセスを行うことができるセルである。
【００３１】
また、「Ｈｙｂｒｉｄセル」は、ＣＳＧに属する移動局ＵＥが「ＣＳＧセル」と見なし、ＣＳＧに属さない移動局ＵＥが「Ｏｐｅｎセル」と見なすセルである。「Ｈｙｂｒｉｄセル」では、ＣＳＧに属する移動局ＵＥに対して、料金やサービスやＱｏＳ（Ｑｕａｌｉｔｙ  ｏｆ  Ｓｅｒｖｉｃｅ）等の点で、付加価値が提供されることが想定されている。
【００３２】
なお、ＣＳＧセルでは、かかるＣＳＧセルにおける報知情報であるＳＩＢ（Ｓｙｓｔｅｍ  Ｉｎｆｏｍａｔｉｏｎ  Ｂｌｏｃｋ）１において、「ｃｓｇ-Ｉｎｄｉｃａｔｏｒ」＝「ＴＲＵＥ」に設定され、「ＣＳＧ-ＩＤ（ｃｓｇ-Ｉｄｅｎｔｉｔｙ）」が設定されている。
【００３３】
また、Ｈｙｂｒｉｄセルでは、ＳＩＢ１において、「ｃｓｇ-Ｉｎｄｉｃａｔｏｒ」＝「ＦＡＬＳＥ」に設定され、「ＣＳＧ-ＩＤ」が設定されている。
【００３４】
ここで、３ＧＰＰのＲｅｌｅｓｅ-８に対応している移動局ＵＥは、Ｈｙｂｒｉｄセルを、Ｏｐｅｎセルであると認識する。
【００３５】
また、ＣＳＧセル＃１及びＣＳＧセル＃２の代わりに、Ｈｙｂｒｉｄセル又はＯｐｅｎセルであるセル１及びセル＃２が用いられていてもよい。
【００３６】
図２に示すように、移動局ＵＥは、ＰＣＩ取得部１１と、測定構成取得部１２と、測定報告送信部１３と、ＣＧＩ取得部１４と、通知部１５とを具備している。
【００３７】
ＰＣＩ取得部１１は、セルサーチによって、周辺セルのＰＣＩ（Ｐｈｙｓｉｃａｌ  Ｃｅｌｌ  Ｉｄｅｎｔｉｔｙ）を取得するように構成されている。
【００３８】
測定構成取得部１２は、各セル用の「測定構成（Ｍｅａｓｕｒｅｍｅｎｔ  Ｃｏｎｆｉｇｕｒａｔｉｏｎ）」を取得するように構成されている。
【００３９】
ここで、「測定構成」には、「測定対象（Ｍｅａｓｕｒｅｍｅｎｔ  Ｏｂｊｅｃｔ）」や、「報告条件（Ｒｅｐｏｒｔｉｎｇ  Ｃｏｎｆｉｇｕｒａｔｉｏｎ）」や、「測定対象」と「報告条件」とを対応付ける「測定ＩＤ（Ｍｅａｓｕｒｅｍｅｎｔ  ＩＤ）」や、異周波数セルや異ＲＡＴ（Ｒａｄｉｏ  Ａｃｃｅｓｓ  Ｔｅｃｈｎｏｌｏｇｙ）セルにおける測定を行うための「測定ギャップ（Ｍｅａｓｕｒｅｍｅｎｔ  Ｇａｐ）」や、測定指標（例えば、ＲＳＲＰやＲＳＲＱ）や、Ｌ３フィルタリングを指定する「Ｑｕａｎｔｉｔｙ  Ｃｏｎｆｉｇｕｒａｔｉｏｎ」等が含まれ得る。
【００４０】
「測定対象（Ｍｅａｓｕｒｅｍｅｎｔ  Ｏｂｊｅｃｔ）」には、移動局ＵＥが測定すべき周波数やＲＡＴや、特定のセル（ＰＣＩ）に対するオフセットや、測定対象外とすべき特定のセルのリスト等の情報が含まれる。
【００４１】
また、「報告条件（Ｒｅｐｏｒｔｉｎｇ  Ｃｏｎｆｉｇｕｒａｔｉｏｎ）」には、移動局ＵＥが無線基地局ｅＮＢに対して「測定報告（Ｍｅａｓｕｒｅｍｅｎｔ  Ｒｅｐｏｒｔ）」を送信すべき契機を指定するパラメータ、例えば、イベントタイプや受信品質に対する閾値や報告周期等の情報が含まれる。
【００４２】
例えば、ＰＣＩ取得部１１が、移動局ＵＥが現在通信中のセル＃Ａ（第１セル）の周波数ｆ１と異なる周波数ｆ２を用いるＣＳＧセル＃２（第２セル）を測定したいと判定した場合で、かつ、測定構成取得部１２が、ＣＳＧセル＃２の周波数ｆ２用の「測定構成」を保持していない場合に、測定構成取得部１２は、セル＃Ａを管理する無線基地局ｅＮＢ＃Ａに対して「測定構成要求（Ｍｅａｓｕｒｅｍｅｎｔ  Ｃｏｎｆｉｇｕｒａｔｉｏｎ  Ｒｅｑｕｅｓｔ）」を送信することによって、無線基地局ｅＮＢ＃ＡからＣＳＧセル＃２の周波数ｆ２用の測定構成を取得するように構成されている。
【００４３】
前記ＣＳＧセル＃２の周波数ｆ２用の「測定構成」には、周波数ｆ２に関する「測定対象」や「報告条件」や「測定ＩＤ」や「測定ギャップ」等が含まれる。
【００４４】
ここで、移動局ＵＥは、例えば、アクセス可能なＣＳＧセルの周辺環境（例えば、周辺セルのＰＣＩや受信品質や位置情報等）を記憶しておき、これに基づき、アクセス可能なＣＳＧセルの近隣に居るか否かを判断し、かかるＣＳＧセルを測定したいか否かを判定することができる。
【００４５】
或いは、移動局ＵＥは、例えば、アクセス可能なＣＳＧセルのＰＬＭＮや周波数を記憶しておき、これに基づき、かかるＣＳＧセルを測定したいか否かを判定することができる。
【００４６】
測定報告送信部１３は、測定構成取得部１２によって取得された測定構成に応じて、かかる測定構成に含まれる測定対象のセルにおける受信品質（測定指標に対応する受信品質）及び「ＰＣＩ」を含む「測定報告（Ｍｅａｓｕｒｅｍｅｎｔ  Ｒｅｐｏｒｔ）」を送信するように構成されている。
【００４７】
例えば、測定報告送信部１３は、測定構成取得部１２によって取得されたＣＳＧセル＃２の周波数ｆ２用の測定構成に応じて、無線基地局ｅＮＢ＃Ａに対して、ＣＳＧセル＃２における受信品質及び「ＰＣＩ」を含む測定報告を送信するように構成されている。
【００４８】
また、１つの「測定対象」に対して、複数の「測定ＩＤ」と「報告条件」とが設定されてもよい。
【００４９】
例えば、ＣＳＧセル＃１又はＣＳＧセル＃２に対して、「周辺セルにおける受信品質＞通信中のセル（サービングセル）における受信品質＋１ｄＢ」という第１報告条件、及び、「周辺セルにおける受信品質＞通信中のセル（サービングセル）における受信品質＋３ｄＢ」という第２報告条件が設定されていてもよい。
【００５０】
測定報告送信部１３は、ＣＳＧセル＃１又はＣＳＧセル＃２における受信品質が第１報告条件を満たすと判断した場合、第１測定報告を送信し、ＣＳＧセル＃１又はＣＳＧセル＃２における受信品質が第２報告条件を満たすと判断した場合、第２測定報告を送信するように構成されていてもよい。
【００５１】
ＣＧＩ取得部１４は、測定構成に含まれる測定ギャップで、ＳＩＢ１に含まれている各セルの「ＣＧＩ（Ｃｅｌｌ  Ｇｌｏｂａｌ  Ｉｄｅｎｔｉｔｙ）」を取得するように構成されている。なお、ＣＧＩ取得部１４は、ＳＩＢ１に含まれている各セルの「ＣＳＧ-ＩＤ」を同時に取得してもよい。
【００５２】
ここで、「ＣＧＩ」は、本実施形態に係る移動通信システム内で、一意にセルを特定することができる識別情報であるのに対して、「ＰＣＩ（Ｐｈｙｓｉｃａｌ  Ｃｅｌｌ  Ｉｄｅｎｔｉｔｙ）」は、ＷＣＤＭＡ方式の移動通信システムにおけるスクランブルコードに相当するものであり、複数のセルで繰り返し使用されるものである。すなわち、本実施形態に係る移動通システム内では、「ＰＣＩ」のみによって、一意にセルを特定することができない。
【００５３】
本実施形態に係る移動通信システムでは、５０４通りの「ＰＣＩ」が存在し得るものとする。
【００５４】
また、移動局ＵＥは、セルサーチの段階で、セルを検知すれば、「ＰＣＩ」について特定できるが、「ＣＧＩ」や「ＣＳＧ-ＩＤ」は、報知情報に含まれるため、移動局ＵＥは、報知情報を受信しなければ、「ＣＧＩ」や「ＣＳＧ-ＩＤ」を取得することができない。移動局ＵＥが通信中に周辺セルの報知情報を受信するためには、通信中のセルとの通信を短い期間（報知情報の受信に十分な期間、例えば、８０ｍｓ）で、一時的に通信を中断する「所定ギャップ」が必要となる。
【００５５】
また、基本的に、移動局ＵＥが通信中のセルの周波数と異なる周波数のセルをサーチして測定するためには「測定ギャップ」が必要となる。この「測定ギャップ」は、報知情報の受信に必要な所定ギャップよりも短くてよいが、測定の十分な平均化を行うため周期的な測定ギャップが必要となる（例えば、４０ｍｓ周期で、５ｍｓの測定ギャップ）。
【００５６】
通知部１５は、無線基地局ｅＮＢ＃Ａから所定ギャップが通知された場合で、かつ、かかる所定ギャップでＣＳＧセル＃１又はＣＳＧセル＃２のＣＧＩを取得することができなかった場合に、無線基地局ｅＮＢ＃Ａに対して、その旨を通知するように構成されている。
【００５７】
例えば、通知部１５は、無線基地局ｅＮＢ＃Ａから、８０ｍｓ程度の１つ又は複数の所定ギャップが通知された場合で、かつ、かかる所定ギャップでＣＳＧセル＃１又はＣＳＧセル＃２のＣＧＩを取得することができなかった場合に、無線基地局ｅＮＢ＃Ａに対して、その旨を通知するように構成されている。
【００５８】
或いは、通知部１５は、無線基地局ｅＮＢ＃Ａから所定ギャップ及び所定期間が通知された場合で、かつ、所定期間内にＣＳＧセル＃１又はＣＳＧセル＃２のＣＧＩを取得することができなかった場合に、無線基地局ｅＮＢ＃Ａに対して、その旨を通知するように構成されていてもよい。
【００５９】
図３に示すように、無線基地局ｅＮＢは、測定構成送信部２１と、測定報告受信部２２と、判断部２３と、ハンドオーバ処理部２４とを具備している。
【００６０】
測定構成送信部２１は、移動局ＵＥから受信した測定構成要求に応じて、かかる移動局ＵＥに対して、該当する測定構成を送信するように構成されている。
【００６１】
測定報告受信部２２は、移動局ＵＥによって測定構成に従って送信された測定報告を受信するように構成されている。
【００６２】
判断部２３は、移動局ＵＥから、ＣＳＧセルにおける受信品質を含む測定報告を受信した場合に、かかるＣＳＧセルに対する移動局ＵＥのアクセス可否について、及び、かかる測定報告に含まれるＣＳＧセル＃２における受信品質が所定条件を満たしているか否かについて判断するように構成されている。
【００６３】
また、判断部２３は、かかる場合に、かかる測定報告に含まれるＣＳＧセルのＰＣＩが複数の周辺セルにおいて使用されている可能性（「ＰＣＩ  Ｃｏｎｆｕｓｉｏｎ」が発生している可能性）があるか否かについて判断するように構成されている。
【００６４】
例えば、判断部２３は、ＰＣＩを、ＣＳＧセル用ＰＣＩとＨｙｂｒｉｄセル用ＰＣＩとＯｐｅｎセル用ＰＣＩとに分けて管理している場合、かかる測定報告に含まれるＣＳＧセルのＰＣＩがＣＳＧセル用ＰＣＩでない場合に、かかる測定報告に含まれるＣＳＧセルのＰＣＩが複数の周辺セルにおいて使用されている可能性があると判断してもよい。
【００６５】
或いは、判断部２３は、ＰＣＩを、「ＰＣＩ  Ｃｏｎｆｕｓｉｏｎ」が発生し得るＰＣＩと「ＰＣＩ  Ｃｏｎｆｕｓｉｏｎ」が発生し得ないＰＣＩとに分けて管理している場合、かかる測定報告に含まれるＣＳＧセルのＰＣＩが「ＰＣＩ  Ｃｏｎｆｕｓｉｏｎ」が発生し得るＰＣＩである場合に、かかる測定報告に含まれるＣＳＧセルのＰＣＩが複数の周辺セルにおいて使用されている可能性があると判断してもよい。
【００６６】
ハンドオーバ処理部２４は、判断部２３による判断結果に応じて、該当する移動局ＵＥのハンドオーバ処理を行うように構成されている。
【００６７】
例えば、判断部２３が、ＣＳＧセル＃２に対して移動局ＵＥがアクセス可能である場合で、かつ、移動局ＵＥから受信した測定報告に含まれるＣＳＧセル＃１又はＣＳＧセル＃２における受信品質が所定条件を満たすと判断した場合に、ＣＳＧセル＃１又はＣＳＧセル＃２に対する移動局ＵＥのハンドオーバ処理を開始するように構成されていてもよい。
【００６８】
また、判断部２３が、移動局ＵＥから受信した測定報告に含まれるＣＳＧセル＃２のＰＣＩが複数の周辺セルにおいて使用されている可能性があると判断した場合、測定構成送信部２１は、移動局ＵＥに対して所定ギャップを通知し、ＣＳＧセル＃２のＣＧＩを通知するように指示するように構成されていてもよい。
【００６９】
なお、本実施形態では、判断部２３を、無線基地局ｅＮＢの機能の一部として説明したが、判断部２３は、他のネットワークノードに存在してもよい。例えば、判断部２３は、上位ノードである交換局ＭＭＥ（Ｍｏｂｉｌｉｔｙ  Ｍａｎａｇｅｍｅｎｔ  Ｅｎｔｉｔｙ）やゲートウェイ装置（ＨｅＮＢ-ＧＷ）等に配備されてもよい。
【００７０】
また、判断部２３の一部の機能、例えば、ＣＳＧセルに対する移動局ＵＥのアクセス権判定の機能のみが、上位ノードに配置されてもよい。この場合、無線基地局ｅＮＢは、かかる上位ノードに対してＣＳＧセル＃２に対して移動局ＵＥがアクセス可能であるかを問い合わせる。
【００７１】
また、アクセス権判定の機能を、上位ノードに設ける構成は、移動局ＵＥの「Ａｌｌｏｗｅｄ  ＣＳＧ  Ｌｉｓｔ」を無線基地局ｅＮＢで保持する必要がない点で有利である。「Ａｌｌｏｗｅｄ  ＣＳＧ  Ｌｉｓｔ」を無線基地局ｅＮＢで保持した場合、セキュリティのリスクがある。
【００７２】
また、ハンドオーバ処理部２４は、移動局ＵＥから、所定ギャップでＣＳＧセル＃１又はＣＳＧセル＃２のＣＧＩの取得に失敗した旨の通知を受信した場合には、ＣＳＧセル＃１又はＣＳＧセル＃２に対する干渉の影響を低減するための所定処理を実施するように構成されている。
【００７３】
同様に、ハンドオーバ処理部２４は、移動局ＵＥから、所定期間内にＣＳＧセル＃１又はＣＳＧセル＃２のＣＧＩの取得に失敗した旨の通知を受信した場合には、ＣＳＧセル＃１又はＣＳＧセル＃２に対する干渉の影響を低減するための所定処理を実施するように構成されていてもよい。
【００７４】
また、測定構成送信部２１が、移動局ＵＥに対して所定ギャップを通知し、ＣＳＧセル＃２のＣＧＩを通知するように指示した後、所定期間内に、移動局ＵＥから、ＣＳＧセル＃１又はＣＳＧセル＃２のＣＧＩを含む測定報告を受信しなかった場合には、ハンドオーバ処理部２４は、ＣＳＧセル＃１又はＣＳＧセル＃２に対する干渉の影響を低減するための所定処理を実施するように構成されていてもよい。
【００７５】
また、移動局ＵＥが、周期的に、周辺セルであるＣＳＧセル＃１又はＣＳＧセル＃２のＰＣＩを用いてＣＳＧセル＃１又はＣＳＧセル＃２における受信品質を含む測定報告が送信されている場合（すなわち、移動局ＵＥにおいて「ｅｖｅｎｔ  ｔｒｉｇｇｅｒｅｄ  ｐｅｒｉｏｄｉｃａｌ  ｒｅｐｏｒｔｉｎｇ」が適用されている場合）、測定構成送信部２１が、移動局ＵＥに対して所定ギャップを通知し、ＣＳＧセル＃２のＣＧＩを通知するように指示した後、ハンドオーバ処理部２４は、移動局ＵＥから、ＣＳＧセル＃１又はＣＳＧセル＃２のＣＧＩを含む測定報告を受信する前に、ＣＳＧセル＃１又はＣＳＧセル＃２のＰＣＩを含む測定報告を受信した場合には、ＣＳＧセル＃１又はＣＳＧセル＃２に対する干渉の影響を低減するための所定処理を実施するように構成されていてもよい。
【００７６】
また、測定構成送信部２１は、移動局ＵＥによって、ＣＳＧセル＃１又はＣＳＧセル＃２における受信品質が第１報告条件と満たすと判断されて、ＣＳＧセル＃１又はＣＳＧセル＃２における受信品質を含む第１測定報告が送信された場合、移動局ＵＥに対して所定ギャップを通知し、ＣＳＧセル＃１又はＣＳＧセル＃２のＣＧＩを通知するように指示するように構成されていてもよい。
【００７７】
一方、ハンドオーバ処理部２４は、移動局ＵＥによって、ＣＳＧセル＃１又はＣＳＧセル＃２における受信品質が第２報告条件と満たすと判断されて、ＣＳＧセル＃１又はＣＳＧセル＃２における受信品質を含む第２測定報告が送信された場合、ＣＳＧセル＃１又はＣＳＧセル＃２に対する干渉の影響を低減するための所定処理を実施するように構成されていてもよい。
【００７８】
具体的には、ハンドオーバ処理部２４は、ＣＳＧセル＃１又はＣＳＧセル＃２に対する干渉の影響を低減するための所定処理として、ＣＳＧセル＃１又はＣＳＧセル＃２と異なる周波数又はＲＡＴのセルへの移動局ＵＥのハンドオーバ処理又はリダイレクション処理を行ってもよい。
【００７９】
（本発明の第１の実施形態に係る移動通信システムの動作）
図４及び図５を参照して、本発明の第１の実施形態に係る移動通信システムの動作について説明する。
【００８０】
第１に、図４を参照して、移動局ＵＥが、通信中のセル＃Ａと同一の周波数ｆ１が用いられるＣＳＧセル＃１における測定を行う場合の動作について説明する。
【００８１】
図４に示すように、ステップＳ１０１において、移動局ＵＥは、ＣＳＧセル＃１のＰＣＩを用いて、無線基地局ｅＮＢ＃Ａに対して、ＣＳＧセル＃１における受信品質を含む測定報告を送信する。
【００８２】
ステップＳ１０２において、無線基地局ｅＮＢ＃Ａは、受信した測定報告に係るＣＳＧセル＃１のＰＣＩが複数の周辺セルにおいて使用されている可能性があるか否かについて、すなわち、受信した測定報告に係るＣＳＧセル＃１のＰＣＩに関して「ＰＣＩ  Ｃｏｎｆｕｓｉｏｎ」が発生する可能性があるか否かについて判断する。
【００８３】
「ＰＣＩ  Ｃｏｎｆｕｓｉｏｎ」が発生する可能性がないと判断された場合、本動作は、ステップＳ１０３に進み、「ＰＣＩ  Ｃｏｎｆｕｓｉｏｎ」が発生する可能性があると判断された場合、本動作は、ステップＳ１０４に進む。
【００８４】
ステップＳ１０３において、無線基地局ｅＮＢ＃Ａは、かかるＰＣＩによって特定されるセル（ＣＳＧセル＃１）への移動局ＵＥのハンドオーバ処理を開始する。
【００８５】
ステップＳ１０４において、無線基地局ｅＮＢ＃Ａは、移動局ＵＥに対して、所定ギャップ（ＳＩＢ１取得用ギャップ）を通知し、ＣＳＧセル＃２のＣＧＩを通知するように指示する。
【００８６】
ステップＳ１０５において、無線基地局ｅＮＢ＃Ａは、移動局ＵＥにおいてＣＳＧセル＃１のＣＧＩの取得に成功したか否かについて判断する。
【００８７】
ここで、無線基地局ｅＮＢ＃Ａは、移動局ＵＥから、ＣＳＧセル＃１又はＣＳＧセル＃２のＣＧＩの取得に失敗した旨の通知を受信した場合に、移動局ＵＥにおいてＣＳＧセル＃１のＣＧＩの取得に失敗したと判断してもよい。
【００８８】
また、無線基地局ｅＮＢ＃Ａは、移動局ＵＥに対して所定ギャップを通知し、ＣＳＧセル＃２のＣＧＩを通知するように指示した後、所定期間内に、移動局ＵＥから、ＣＳＧセル＃１又はＣＳＧセル＃２のＣＧＩを含む測定報告を受信しなかった場合に、移動局ＵＥにおいてＣＳＧセル＃１のＣＧＩの取得に失敗したと判断してもよい。
【００８９】
また、移動局ＵＥにおいて「ｅｖｅｎｔ  ｔｒｉｇｇｅｒｅｄ  ｐｅｒｉｏｄｉｃａｌ  ｒｅｐｏｒｔｉｎｇ」が適用されている場合、無線基地局ｅＮＢ＃Ａは、移動局ＵＥに対して所定ギャップを通知し、ＣＳＧセル＃２のＣＧＩを通知するように指示した後、移動局ＵＥから、ＣＳＧセル＃１又はＣＳＧセル＃２のＣＧＩを含む測定報告を受信する前に、ＣＳＧセル＃１又はＣＳＧセル＃２のＰＣＩを含む測定報告を受信した場合に、移動局ＵＥにおいてＣＳＧセル＃１のＣＧＩの取得に失敗したと判断してもよい。
【００９０】
また、無線基地局ｅＮＢ＃Ａは、移動局ＵＥによって、ＣＳＧセル＃１又はＣＳＧセル＃２における受信品質が第２報告条件と満たすと判断されて、ＣＳＧセル＃１又はＣＳＧセル＃２における受信品質を含む第２測定報告が送信された場合、移動局ＵＥにおいてＣＳＧセル＃１のＣＧＩの取得に失敗したと判断してもよい。
【００９１】
移動局ＵＥにおいてＣＳＧセル＃１のＣＧＩの取得に成功したと判断された場合、本動作は、ステップＳ１０７に進み、移動局ＵＥにおいてＣＳＧセル＃１のＣＧＩの取得に失敗したと判断された場合、本動作は、ステップＳ１１０に進む。
【００９２】
ステップＳ１０７において、移動局ＵＥは、取得したＣＳＧセル＃１のＣＧＩを用いて、無線基地局ｅＮＢ＃Ａに対して、ＣＳＧセル＃１における受信品質を含む測定報告を送信する。
【００９３】
ステップＳ１０８において、無線基地局ｅＮＢ＃Ａは、受信した測定報告に係るＣＳＧセル＃１のＣＧＩによって特定されるセル（ＣＳＧセル＃１）に対する移動局ＵＥのアクセス可否について判断する。
【００９４】
なお、この判断は、上位ノードで行われてもよく、その場合、無線基地局ｅＮＢ＃Ａは、上位ノードに対してＣＳＧセル＃１のＣＧＩによって特定されるセル（ＣＳＧセル＃１）に対する移動局ＵＥのアクセス可否を問い合わせる。
【００９５】
アクセス可能であると判断された場合、ステップＳ１０９において、無線基地局ｅＮＢ＃Ａは、かかるＣＧＩによって特定されるセル（ＣＳＧセル＃１）への移動局ＵＥのハンドオーバ処理を開始する。
【００９６】
一方、アクセス不可であると判断された場合、ステップＳ１１０において、無線基地局ｅＮＢ＃Ａは、セル＃Ａと異なる周波数又はＲＡＴのセルへの移動局ＵＥのハンドオーバ処理或いはリダイレクション処理を行う。
【００９７】
ステップＳ２１１において、無線基地局ｅＮＢ＃Ａは、移動局ＵＥとセル＃Ａとの間の通信が、ＣＳＧセル＃１において干渉を引き起こす可能性があることを考慮して、かかる干渉に対する対策を施す。
【００９８】
第２に、図５を参照して、移動局ＵＥが、通信中のセル＃Ａの周波数ｆ１と異なる周波数ｆ２が用いられるＣＳＧセル＃２における測定を行う場合の動作について説明する。
【００９９】
図５に示すように、移動局ＵＥは、現在通信中のセル＃Ａの周波数ｆ１と異なる周波数ｆ２を用いるＣＳＧセル＃２を測定したいと判定した場合に、ステップＳ２０１において、ＣＳＧセル＃２の周波数ｆ２用の測定構成を保持しているか否かについて判断する。
【０１００】
ＣＳＧセル＃２の周波数ｆ２用の測定構成を保持していると判断された場合、本動作は、ステップＳ２０４に進み、ＣＳＧセル＃２の周波数ｆ２用の測定構成を保持していないと判断された場合、本動作は、ステップＳ２０２に進む。
【０１０１】
ステップＳ２０２において、移動局ＵＥは、セル＃Ａを管理する無線基地局ｅＮＢ＃Ａに対して、ＣＳＧセル＃２の周波数ｆ２用の測定構成についての測定構成要求を送信する。かかる測定要求には、移動局ＵＥが測定したい周波数ｆ２や、無線アクセス技術ＲＡＴ（ＬＴＥ、ＵＴＲＡ、ＧＥＲＡＮ等）等の情報が含まれてよい。
【０１０２】
ステップＳ２０３において、無線基地局ｅＮＢ＃Ａが、移動局ＵＥに対して、ＣＳＧセル＃２の周波数ｆ２用の測定構成を送信する。かかる測定構成には、「測定対象（ＲＡＴや周波数）」や、「報告条件」や、「測定対象」と「報告条件」とをリンクする「測定ＩＤ」や、「測定ギャップ」等の情報が含まれてよい。また、無線基地局ｅＮＢ＃Ａは、移動局ＵＥに対して未設定の測定構成の要素のみを新たに設定するよう、測定構成を送信してもよい。
【０１０３】
以下、ステップＳ２０４乃至Ｓ２１２の動作は、図４に示すステップＳ１０１乃至Ｓ１０９の動作と同一である。
【０１０４】
ステップＳ２１３において、無線基地局ｅＮＢ＃Ａは、かかるＣＧＩによって特定されるセル（ＣＳＧセル＃２）への移動局ＵＥのハンドオーバ処理を開始せず、移動局ＵＥは、現在通信中のセル＃Ａとの通信を継続する。
【０１０５】
（本発明の第１の実施形態に係る移動通信システムの作用・効果）
本発明の第１の実施形態に係る移動通信システムによれば、ハンドオーバ処理時に、移動局ＵＥと無線基地局ｅＮＢとの間で認識するセルが異なるという事態を回避することができる。
【０１０６】
以上に述べた本実施形態の特徴は、以下のように表現されていてもよい。
【０１０７】
本実施形態の第１の特徴は、移動通信方法であって、セル＃Ａ（第１セル）と通信中の移動局ＵＥが、セル＃Ａを管理する無線基地局ｅＮＢ＃Ａに対して、周辺セルであるＣＳＧセル＃１又はＣＳＧセル＃２（第２セル）のＰＣＩを用いて、ＣＳＧセル＃１又はＣＳＧセル＃２における受信品質を含む測定報告を送信する工程と、無線基地局ｅＮＢ＃Ａが、受信した測定報告に係るＰＣＩが複数の周辺セルにおいて使用されている可能性があると判断した場合、移動局ＵＥに対して所定ギャップを通知し、ＣＳＧセル＃１又はＣＳＧセル＃２のＣＧＩを通知するように指示する工程と、移動局ＵＥが、通知された所定ギャップでＣＳＧセル＃１又はＣＳＧセル＃２のＣＧＩを取得することができなかった場合には、その旨を通知する工程とを有することを要旨とする。
【０１０８】
本実施形態の第２の特徴は、移動通信方法であって、セル＃Ａと通信中の移動局ＵＥが、セル＃Ａを管理する無線基地局ｅＮＢ＃Ａに対して、周辺セルであるＣＳＧセル＃１又はＣＳＧセル＃２のＰＣＩを用いて、ＣＳＧセル＃１又はＣＳＧセル＃２における受信品質を含む測定報告を送信する工程と、無線基地局ｅＮＢ＃Ａが、受信した測定報告に係るＰＣＩが複数の周辺セルにおいて使用されている可能性があると判断した場合、移動局ＵＥに対して所定ギャップ及び所定期間を通知し、ＣＳＧセル＃１又はＣＳＧセル＃２のＣＧＩを通知するように指示する工程と、移動局ＵＥが、通知された所定期間内にＣＳＧセル＃１又はＣＳＧセル＃２のＣＧＩを取得することができなかった場合には、その旨を通知する工程とを有することを要旨とする。
【０１０９】
本実施形態の第１又は第２の特徴において、無線基地局ｅＮＢ＃Ａが、移動局からの上述の通知に応じて、ＣＳＧセル＃１又はＣＳＧセル＃２に対する干渉の影響を低減するための所定処理を実施する工程を更に有してもよい。
【０１１０】
本実施形態の第３の特徴は、移動通信方法であって、セル＃Ａと通信中の移動局ＵＥが、セル＃Ａを管理する無線基地局ｅＮＢ＃Ａに対して、周辺セルであるＣＳＧセル＃１又はＣＳＧセル＃２のＰＣＩを用いて、ＣＳＧセル＃１又はＣＳＧセル＃２における受信品質を含む測定報告を送信する工程と、無線基地局ｅＮＢ＃Ａが、受信した測定報告に係るＰＣＩが複数の周辺セルにおいて使用されている可能性があると判断した場合、移動局ＵＥに対して所定ギャップ及び所定期間を通知し、ＣＳＧセル＃１又はＣＳＧセル＃２のＣＧＩを通知するように指示する工程と、無線基地局ｅＮＢ＃Ａが、かかる指示の後、所定期間内に、移動局ＵＥから、ＣＳＧセル＃１又はＣＳＧセル＃２のＣＧＩを含む測定報告を受信しなかった場合には、ＣＳＧセル＃１又はＣＳＧセル＃２に対する干渉の影響を低減するための所定処理を実施する工程とを有することを要旨とする。
【０１１１】
本実施形態の第４の特徴は、移動通信方法であって、セル＃Ａと通信中の移動局ＵＥが、セル＃Ａを管理する無線基地局ｅＮＢ＃Ａに対して、周辺セルであるＣＳＧセル＃１又はＣＳＧセル＃２のＰＣＩを用いて、周期的に、ＣＳＧセル＃１又はＣＳＧセル＃２における受信品質を含む測定報告を送信する工程と、無線基地局ｅＮＢ＃Ａが、受信した測定報告に係るＰＣＩが複数の周辺セルにおいて使用されている可能性があると判断した場合、移動局に対して所定ギャップを通知し、ＣＳＧセル＃１又はＣＳＧセル＃２のＣＧＩを通知するように指示する工程と、無線基地局ｅＮＢ＃Ａが、かかる指示の後、移動局ＵＥから、ＣＳＧセル＃１又はＣＳＧセル＃２のＣＧＩを含む測定報告を受信する前に、ＣＳＧセル＃１又はＣＳＧセル＃２のＰＣＩを含む測定報告を受信した場合には、ＣＳＧセル＃１又はＣＳＧセル＃２に対する干渉の影響を低減するための所定処理を実施する工程とを有することを要旨とする。
【０１１２】
本実施形態の第５の特徴は、移動通信方法であって、セル＃Ａと通信中の移動局ＵＥが、周辺セルであるＣＳＧセル＃１又はＣＳＧセル＃２における受信品質が第１報告条件と満たす場合、セル＃Ａを管理する無線基地局ｅＮＢ＃Ａに対して、ＣＳＧセル＃１又はＣＳＧセル＃２のＰＣＩを用いて、ＣＳＧセル＃１又はＣＳＧセル＃２における受信品質を含む第１測定報告を送信する工程と、移動局ＵＥが、ＣＳＧセル＃１又はＣＳＧセル＃２における受信品質が第２報告条件と満たす場合、無線基地局ｅＮＢ＃Ａに対して、ＣＳＧセル＃１又はＣＳＧセル＃２のＰＣＩを用いて、ＣＳＧセル＃１又はＣＳＧセル＃２における受信品質を含む第２測定報告を送信する工程と、無線基地局ｅＮＢ＃Ａが、第１測定報告を受信した場合、移動局ＵＥに対して所定ギャップを通知し、ＣＳＧセル＃１又はＣＳＧセル＃２のＣＧＩを通知するように指示する工程と、無線基地局ｅＮＢ＃Ａが、第２測定報告を受信した場合、ＣＳＧセル＃１又はＣＳＧセル＃２に対する干渉の影響を低減するための所定処理を実施する工程とを有することを要旨とする。
【０１１３】
本実施形態の第６の特徴は、移動局ＵＥであって、現在通信中のセル＃Ａを管理する無線基地局ｅＮＢ＃Ａに対して、周辺セルであるＣＳＧセル＃１又はＣＳＧセル＃２のＰＣＩを用いて、ＣＳＧセル＃１又はＣＳＧセル＃２における受信品質を含む測定報告を送信するように構成されている測定報告送信部１３と、無線基地局ｅＮＢ＃Ａから所定ギャップが通知された場合で、かつ、かかる所定ギャップでＣＳＧセル＃１又はＣＳＧセル＃２のＣＧＩを取得することができなかった場合に、無線基地局ｅＮＢ＃Ａに対して、その旨を通知するように構成されている通知部１５とを具備することを要旨とする。
【０１１４】
本実施形態の第７の特徴は、移動局ＵＥであって、現在通信中のセル＃Ａを管理する無線基地局ｅＮＢ＃Ａに対して、周辺セルであるＣＳＧセル＃１又はＣＳＧセル＃２のＰＣＩを用いて、ＣＳＧセル＃１又はＣＳＧセル＃２における受信品質を含む測定報告を送信するように構成されている測定報告送信部１３と、無線基地局ｅＮＢ＃Ａから所定ギャップ及び所定期間が通知された場合で、かつ、所定期間内にＣＳＧセル＃１又はＣＳＧセル＃２のＣＧＩを取得することができなかった場合に、無線基地局ｅＮＢ＃Ａに対して、その旨を通知するように構成されている通知部１５とを具備することを要旨とする。
【０１１５】
本実施形態の第８の特徴は、セル＃Ａを管理する無線基地局ｅＮＢ＃Ａであって、セル＃Ａと通信中の移動局ＵＥによって、周辺セルであるＣＳＧセル＃１又はＣＳＧセル＃２のＰＣＩを用いてＣＳＧセル＃１又はＣＳＧセル＃２における受信品質を含む測定報告が送信されている場合で、かつ、かかる測定報告に係るＰＣＩが複数の周辺セルにおいて使用されている可能性があると判断された場合、移動局ＵＥに対して所定ギャップを通知し、ＣＳＧセル＃１又はＣＳＧセル＃２のＣＧＩを通知するように指示するように構成されている測定構成送信部２１と、移動局ＵＥから、所定ギャップでＣＳＧセル＃１又はＣＳＧセル＃２のＣＧＩの取得に失敗した旨の通知を受信した場合には、ＣＳＧセル＃１又はＣＳＧセル＃２に対する干渉の影響を低減するための所定処理を実施するように構成されているハンドオーバ処理部２４とを具備することを要旨とする。
【０１１６】
本実施形態の第９の特徴は、セル＃Ａを管理する無線基地局ｅＮＢ＃Ａであって、セル＃Ａと通信中の移動局ＵＥによって、周辺セルであるＣＳＧセル＃１又はＣＳＧセル＃２のＰＣＩを用いてＣＳＧセル＃１又はＣＳＧセル＃２における受信品質を含む測定報告が送信されている場合で、かつ、かかる測定報告に係るＰＣＩが複数の周辺セルにおいて使用されている可能性があると判断された場合、移動局ＵＥに対して所定ギャップ及び所定期間を通知し、ＣＳＧセル＃１又はＣＳＧセル＃２のＣＧＩを通知するように指示するように構成されている測定構成送信部２１と、移動局ＵＥから、所定期間内にＣＳＧセル＃１又はＣＳＧセル＃２のＣＧＩの取得に失敗した旨の通知を受信した場合には、ＣＳＧセル＃１又はＣＳＧセル＃２に対する干渉の影響を低減するための所定処理を実施するように構成されているハンドオーバ処理部２４とを具備することを要旨とする。
【０１１７】
本実施形態の第１０の特徴は、セル＃Ａを管理する無線基地局ｅＮＢ＃Ａであって、セル＃Ａと通信中の移動局ＵＥによって、周辺セルであるＣＳＧセル＃１又はＣＳＧセル＃２のＰＣＩを用いてＣＳＧセル＃１又はＣＳＧセル＃２における受信品質を含む測定報告が送信されている場合で、かつ、かかる測定報告に係るＰＣＩが複数の周辺セルにおいて使用されている可能性があると判断された場合、移動局ＵＥに対して所定ギャップ及び所定期間を通知し、ＣＳＧセル＃１又はＣＳＧセル＃２のＣＧＩを通知するように指示するように構成されている測定構成送信部２１と、かかる指示の後、所定期間内に、移動局ＵＥから、ＣＳＧセル＃１又はＣＳＧセル＃２のＣＧＩを含む測定報告を受信しなかった場合には、ＣＳＧセル＃１又はＣＳＧセル＃２に対する干渉の影響を低減するための所定処理を実施するように構成されているハンドオーバ処理部２４とを具備することを要旨とする。
【０１１８】
本実施形態の第１１の特徴は、セル＃Ａを管理する無線基地局ｅＮＢ＃Ａであって、セル＃Ａと通信中の移動局ＵＥによって、周期的に、周辺セルであるＣＳＧセル＃１又はＣＳＧセル＃２のＰＣＩを用いてＣＳＧセル＃１又はＣＳＧセル＃２における受信品質を含む測定報告が送信されている場合で、かつ、かかる測定報告に係るＰＣＩが複数の周辺セルにおいて使用されている可能性があると判断された場合、移動局ＵＥに対して所定ギャップを通知し、ＣＳＧセル＃１又はＣＳＧセル＃２のＣＧＩを通知するように指示するように構成されている測定構成送信部２１と、かかる指示の後、移動局ＵＥから、ＣＳＧセル＃１又はＣＳＧセル＃２のＣＧＩを含む測定報告を受信する前に、ＣＳＧセル＃１又はＣＳＧセル＃２のＰＣＩを含む測定報告を受信した場合には、ＣＳＧセル＃１又はＣＳＧセル＃２に対する干渉の影響を低減するための所定処理を実施するように構成されているハンドオーバ処理部２４とを具備することを要旨とする。
【０１１９】
本実施形態の第１２の特徴は、セル＃Ａを管理する無線基地局ｅＮＢ＃Ａであって、セル＃Ａと通信中の移動局ＵＥによって、周辺セルであるＣＳＧセル＃１又はＣＳＧセル＃２における受信品質が第１報告条件と満たすと判断されて、ＣＳＧセル＃１又はＣＳＧセル＃２における受信品質を含む第１測定報告が送信された場合、移動局ＵＥに対して所定ギャップを通知し、ＣＳＧセル＃１又はＣＳＧセル＃２のＣＧＩを通知するように指示するように構成されている測定構成送信部２１と、移動局ＵＥによって、ＣＳＧセル＃１又はＣＳＧセル＃２における受信品質が第２報告条件と満たすと判断されて、ＣＳＧセル＃１又はＣＳＧセル＃２における受信品質を含む第２測定報告が送信された場合、ＣＳＧセル＃１又はＣＳＧセル＃２に対する干渉の影響を低減するための所定処理を実施するように構成されているハンドオーバ処理部２４とを具備することを要旨とする。
【０１２０】
本実施形態の第１乃至第５の特徴において、干渉の影響を低減するための所定処理は、ＣＳＧセル＃１の周波数ｆ１がセル＃Ａの周波数ｆ１と同じ場合は、他の周波数のセルに移動局ＵＥをハンドオーバ或いはリダイレクションさせる処理であってもよい。
【０１２１】
本実施形態の第１乃至第５の特徴において、干渉の影響を低減するための所定処理は、ＣＳＧセル＃２の周波数ｆ２がセル＃Ａの周波数ｆ１と異なる場合は、セル＃Ａの周波数ｆ１に移動局ＵＥを留める処理であってもよい。
【０１２２】
本実施形態の第８乃至第１２の特徴において、干渉の影響を低減するための所定処理は、ＣＳＧセル＃１の周波数ｆ１がセル＃Ａの周波数ｆ１と同じ場合は、他の周波数のセルに移動局ＵＥをハンドオーバ或いはリダイレクションさせる処理であってもよい。
【０１２３】
本実施形態の第８乃至第１２の特徴において、干渉の影響を低減するための所定処理は、ＣＳＧセル＃２の周波数ｆ２がセル＃Ａの周波数ｆ１と異なる場合は、セル＃Ａの周波数ｆ１に移動局ＵＥを留める処理であってもよい。
【０１２４】
なお、上述の移動局ＵＥや無線基地局ｅＮＢ/ＨｅＮＢの動作は、ハードウェアによって実施されてもよいし、プロセッサによって実行されるソフトウェアモジュールによって実施されてもよいし、両者の組み合わせによって実施されてもよい。
【０１２５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ/ＨｅＮＢ内に設けられていてもよい。また、かかる記憶媒体及びプロセッサは、ディスクリートコンポーネントとして移動局ＵＥや無線基地局ｅＮＢ/ＨｅＮＢ内に設けられていてもよい。
【０１２７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２８】
ＵＥ…移動局
１１…ＰＣＩ取得部
１２…測定構成取得部
１３…測定報告送信部
１４…ＣＧＩ取得部
１５…通知部
ｅＮＢ…無線基地局
２１…測定構成送信部
２２…測定報告受信部
２３…判断部
２４…ハンドオーバ処理部
【図１】
2011010369.tif 000003
【図２】
2011010369.tif 000004
【図３】
2011010369.tif 000005
【図４】
2011010369.tif 000006
【図５】
2011010369.tif 000007
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
第１セルと通信中の移動局が、周辺セルである第２セルにおける受信品質が第１報告条件を満たす場合、該第１セルを管理する無線基地局に対して、該第２セルのＰＣＩを用いて、該第２セルにおける受信品質を含む第１測定報告を送信する工程と、
前記移動局が、前記第２セルにおける受信品質が第２報告条件を満たす場合、前記第１セルを管理する無線基地局に対して、該第２セルのＰＣＩを用いて、該第２セルにおける受信品質を含む第２測定報告を送信する工程と、
前記第１セルを管理する無線基地局が、前記第１測定報告を受信した場合、前記移動局に対して、前記第２セルのＣＧＩを通知するように指示する工程と、
前記第１セルを管理する無線基地局が、前記第２測定報告を受信した場合、前記第２セルに対する干渉の影響を低減するための所定処理を実施する工程とを有することを特徴とする移動通信方法。
【請求項２】
前記干渉の影響を低減するための所定処理は、前記第２セルの周波数が前記第１セルの周波数と同じ場合は、他の周波数のセルに該移動局ＵＥをハンドオーバ或いはリダイレクションさせる処理であることを特徴とする請求項１に記載の移動通信方法。
【請求項３】
第１セルを管理する無線基地局であって、
前記第１セルと通信中の移動局によって、周辺セルである第２セルにおける受信品質が第１報告条件を満たすと判断されて、該第２セルにおける受信品質を含む第１測定報告が送信された場合、該移動局に対して、該第２セルのＣＧＩを通知するように指示するように構成されている指示部と、
前記移動局によって、前記第２セルにおける受信品質が第２報告条件を満たすと判断されて、該第２セルにおける受信品質を含む第２測定報告が送信された場合、該第２セルに対する干渉の影響を低減するための所定処理を実施するように構成されている実施部とを具備することを特徴とする無線基地局。
【請求項４】
前記干渉の影響を低減するための所定処理は、前記第２セルの周波数が前記第１セルの周波数と同じ場合は、他の周波数のセルに該移動局ＵＥをハンドオーバ或いはリダイレクションさせる処理であることを特徴とする請求項３に記載の無線基地局。